Podtech/llm-jp-corpus-v4-ja_patent huggingface dataset:
(57)【要約】      （修正有）【課題】丸型、棒型蛍光灯の器具を変えることなく、反射率の高い反射板を取付け、より多く光、又は明るさを目的の方向へ導く蛍光灯反射板の提供。【解決手段】反射板１に、蛍光灯の管の直径に合わせた、弾性半月型リング４を設け、そのリング４を蛍光灯にはめ込む事で、反射板が蛍光灯に装着される、棒型蛍光灯器具の形状により、リング４が装着不可能な場合は、反射面の裏側に装着してある両面テープ５により、蛍光灯器具に貼り付け使用する、丸型蛍光灯３に対しては反射板を短くし、円に沿って装着し、使用する。【選択図】図１
0003119077.tif 000002
【実用新案登録請求の範囲】
【請求項１】
棒型蛍光灯及び丸型蛍光灯の管に直接取り付ける光の反射を目的とする反射板であり、反射板には蛍光灯の管の径に合わせた弾力性のあるリングを装着し、そのリングを蛍光灯にはめ込む事により、反射板が蛍光灯に装着され、蛍光灯の光が反射される事を目的とする反射板。
【請求項２】
棒型蛍光灯の器具に直接反射板を取り付けるため、反射面の裏側に両面テープを貼り付けた反射板。
【考案の詳細な説明】
【技術分野】
【０００１】本考案は、蛍光灯の反射板に関するものである。
【背景技術】
【０００２】現状の丸型、及び棒型蛍光灯取り付け器具自体が反射板になっているが、そのほとんどが白色である、そのため、反射機能が充分でなく、明るさを求める方向への光を半減させている。
【考案の開示】
【考案が解決しようとする課題】
【０００３】丸型、棒型蛍光灯の器具を変えることなく、反射率の高い反射板を取り付け、より多く光、又は明るさを目的の方向へ導く事を目的とする。
【課題を解決するための手段】
【０００４】本考案は、反射率の高い反射板に蛍光灯の円筒部分の直径に合わせた弾力性のある物質の半月型リングを取り付け、その半月型リング部分を蛍光灯にはめ込み、装着することで反射板自体が蛍光灯に取り付くことになり、より多い明るさを目的方向に供する物である。
【考案の効果】
【０００５】反射板に、反射率の高いものを使用することで、目的方向以外に向いていた光や明かりをより多く目的方向へ導くことになり、例えば、今まで、１０本の蛍光灯を必要としていたものが、この反射板を使用することにより、同じ照度を求める場合、数本減らす事が可能となり，電気の節約、原油等の節約となります。
【考案を実地するための最良の形態】
【０００６】本考案は反射板１に棒型蛍光灯２、丸型蛍光灯３の管の直径に合わせた弾力性を持つ、半月型リング４を取り付け、蛍光灯２、３にその半月型リング４をはめ込み使用する、又、丸型蛍光灯３に対しては短い反射板１を数枚取り付けることで同様の
0003119077.tif 000003
【実地例】
【０００７】棒型蛍光灯２にはその長さに合わせた長方形の反射板１の半月型リング４部分をはめ込み使用し、蛍光灯器具の形状により、半月型リング４がはめ込めない場合は、反射面の裏側に装着してある両面テープ５を使用し、蛍光灯器具に貼り付け装着する。又、丸型蛍光灯３の場合は反射板１を短くして使用する。
【産業上の利用可能性】
【０００８】家庭、会社、工場において、この反射板を使用し、現状照度と同じにする場合、その規模において、数本から数百本の蛍光灯を減らす事が可能であり、電気の節約、原油等の節約、環境の良化が可能である。
【図面の簡単な説明】
【０００９】
【図１】            反射板の斜視図である。
【図２】            棒型蛍光灯に反射板を装着した斜視図である。
【図３】            丸型蛍光灯に反射板を装着した斜視図である。
【符号の説明】
【００１０】          １      反射板
２      棒型蛍光灯
３      丸型蛍光灯
４      弾性半月型リング
５      両面テープ
【図１】
0003119077.tif 000004
【図２】
0003119077.tif 000005
【図３】
0003119077.tif 000006
(57)【要約】      （修正有）【課題】スイング時のクラブヘッドの正しい動かし方と、スイング時のクラブフェイスの正しい向きを習得できるゴルフ練習具を提供する。【解決手段】  透明で中空のヘッド内に注入された液体または流動性をもった固体の動きをゴルフ理論に基づいて描かれたラインの位置にあわせながらスイングプレーン上から外れないことを意識してヘッドを動かすことにより、クラブフェイスが常に正しい方向を指した理想的なスイングが習得できる。【選択図】図２
0003119075.tif 000002
【実用新案登録請求の範囲】
【請求項１】
液体または流動性をもった固体などを注入することができる注入口を設けた、透明で中空のヘッドに、ゴルフ理論に基づいた数本のラインが描かれたことを特徴とする、ゴルフ練習具。
【考案の詳細な説明】
【技術分野】
【０００１】  本考案は、ゴルフスイングでの正しいクラブフェイスの向きと、クラブヘッドの動きを習得することを目的としたゴルフ練習具に関する。
【背景技術】
【０００２】  従来のゴルフ練習機は、スイングの軌道を矯正する方式のものや、アドレス時とインパクト時のクラブフェイスの向きが飛球線と垂直となることを目的としたゴルフ練習機が知られている。
【考案の開示】
【考案が解決しようとする課題】
【０００３】  従来の、スイングプレーン上でクラブを振る練習機においては、クラブシャフトの動きを矯正することはできるが、クラブヘッドの正しい動きや、クラブフェイスの正しい向きを習得することはできず、装置が大掛かりなため練習する場所もかぎられてしまう。【０００４】  アドレス時とインパクト時のクラブヘッドの向きが飛球線と垂直になることを目的としたゴルフ練習機においては、スイング中のクラブヘッドが正しく動いているかを確認することができないため、正しいゴルフスイングを習得することは難しい。【０００５】  他にも提案されているゴルフ練習具においても、クラブヘッド自体の正しい動きを目に見えて矯正できる練習具は提案されていない。本考案は、クラブヘッドの動きが、アドレスからトップオブスイング時、インパクトからフォロースロー時までの正しい動きを目で確認でき、練習に場所をとらないゴルフ練習具を提供せんとするものである。
【課題を解決するための手段】
【０００６】  上記課題を解決しようとする本考案のゴルフ練習具は、透明で中空のヘッド内に液体または流動性をもった固体が注入されており、ヘッドの動きがより確認しやすいよう通常のクラブヘッドの２倍から３倍程度の大きさで、シャフトの長さは、室内においても手軽にできる短いものとする。【０００７】  スイングプレーンをイメージしながら、ヘッド内に注入された液体または流動性をもった固体の動きを、アドレス時、クォーター時、トップオブスイング時、フォロースロー時と、ゴルフ理論に基づいたヘッド部に描かれたラインに液体または流動性をもった固体の位置を合わせながらヘッドを動かすことにより正しいクラブヘッドの動きと、スイング中のクラブフェイスの正しい向きを会得することができるゴルフ練習具。【０００８】  間違ったスイングでは、液体または流動性をもった固体が描かれたライン上に来ないことが目で確認できるので正しいスイングに矯正しやすい。
【考案の効果】
【０００９】  クラブヘッドの正しい動きが習得できるので、無駄な手の動きがなくなり、スムーズなスイングが身につき、ヘッドスピードが増し飛距離が伸び方向性にも正確さが増す効果が期待できる。【００１０】  本考案のゴルフ練習具は、場所をとらず、大きな音も出ないので室内でも手軽に練習ができ、早い上達が期待できる。
【実施例】
【００１１】  本考案のゴルフ練習具のヘッド部内に、図１、１の部分まで液体または流動性をもった固体を注入する。【００１２】  図１、１のライン上に液体または流動性をもった固体のある状態が、アドレス時の正しいヘッドの位置である。【００１３】  図２，２のライン上に液体または流動性をもった固体のある状態が、アドレスからテークバックにかけて手が腰の高さの位置にきた、クォーター時の正しいヘッドの位置とフェイスの向きのである。【００１４】  図３，３のライン上に液体または流動性をもった固体のある状態が、トップオブスイング時の正しいヘッドの位置とフェイスの向きである。【００１５】  図４，４のライン上に液体または流動性をもった固体のある状態が、インパクトからフォロースローにかけて手が腰の高さの位置まできたときの正しいヘッドの位置とフェイスの向きである。【００１６】  スイングプレーン上からゴルフ練習具が、はずれないことを意識しながら図１、図２、図３、図４の状態でゴルフ練習具を止め正しい位置に液体または流動性をもった固体がライン上にあるかを目で確認しながら繰り返し練習し正しいクラブヘッドの動きとクラブフェイスの向きを体得する。【００１７】  両手で正しくグリップして練習する方法が一般的だが、片手で練習する方法も効果的と考えられる。【００１８】  ヘッド部材は、合成樹脂で液体または流動性をもった固体を入れた状態でスイングできる強度を持った透明なものが望ましい、ヘッド部に注入するものは、水や砂またはビーズのようなものでよい、シャフトとグリップは通常のものでよい、またシャフトの長さは、通常のゴルフクラブの長さとしてもよい。
【図面の簡単な説明】
【００１９】
【図１】本考案のゴルフ練習具の実施例のアドレス時を正面から見た平面図である。
【図２】本考案のゴルフ練習具の実施例のクォーター時を正面から見た平面図である。
【図３】本考案のゴルフ練習具の実施例のトップオブスイング時を正面から見た平面図である。
【図４】本考案のゴルフ練習具の実施例のフォロースローで手が腰の位置まできた時を正面から見た平面図である。
【符号の説明】
【００２０】  １      ゴルフ理論に基づいて描かれたアドレス時のライン
２      ゴルフ理論に基づいて描かれたクォーター時のライン
３      ゴルフ理論に基づいて描かれたトップオブスイング時のライン
４      ゴルフ理論に基づいて描かれたフォロースローで手が腰の高さまで来たときのライン
１０      ヘッド
１１      シャフト
１２      グリップ
１３      液体または流動性をもった固体の注入口
【図１】
0003119075.tif 000003
【図２】
0003119075.tif 000004
【図３】
0003119075.tif 000005
【図４】
0003119075.tif 000006
(57)【要約】      （修正有）【課題】授乳がスムーズに出来、なおかつ授乳期終了後も違和感なく普段着として着用出来る授乳服を提供する。【解決手段】脇下の縫い線にファスナーを縫着し授乳口を設けた事で、衣服を持ち上げずに授乳することが出来、腹部・腰部を露出しない。また前身ごろの内側に胸部中央で分かれている目隠し布を付けた事により、ファスナーを全開にしても肌が露出せず、尚且つ授乳の際は目隠し布を中央よりサイドの方へ手繰り寄せる事で、胸部の露出が最小限となる。脇下の縫い線に付けられたファスナーである為、ファスナーが閉じている時、見た目は普段着と変わらず、着る場所を選ばない。【選択図】図３
0003119072.tif 000002
【実用新案登録請求の範囲】
【請求項１】
両脇下の縫い線に授乳口となるファスナーが縫着されており、そのファスナーを開けても前身ごろの内側に、衿ぐり、肩部、後ろ身ごろの脇下縫い線が縫着された胸部中央で分かれている目隠し布がある為、正面やサイドから肌が露出せず、更に授乳時も目隠し布を胸部中央よりサイドへ手繰り寄せる事で、胸部の露出が最小限となる授乳衣服
【考案の詳細な説明】
【技術分野】
【０００１】  この発明は母乳を乳児に与える際、脇下縫い線に縫着されたファスナーを開閉する事により授乳する事が出来、尚且つ前身ごろの内側に目隠し布がある為、胸部の露出を最小限に授乳出来、更に授乳期終了後も普段着として着用出来る授乳衣服である。
【背景技術】
【０００２】従来の授乳服は授乳口を隠す為、覆う布が予め前身ごろの表側に存在し、胸部から腹部の辺りで切り返しがある。実用新案登録３０８６５３１号  公報
また、前身ごろの表側に授乳口となるスリットが存在し、見た目から授乳服である事が分かる。意匠登録第１２２４２３０号  公報
【考案の開示】
【考案が解決しようとする課題】
【０００３】以上で述べたように、従来の授乳服は見た目より授乳中である事が分かる物が多く、授乳後に着づらくなってしまう。
しかし普通の服では授乳時に洋服を持ち上げる為、胸部、腹部、腰部を露出してしまい、特に外出時や訪問先で容易に授乳出来ない。【０００４】本発明は従来の授乳服から発想の転換をし、授乳服の構成が有していた問題を解決しようとするものであり、授乳がスムーズに出来、なおかつ授乳期終了後も違和感なく普段着として着用出来る事を目的とした授乳衣服である。
【課題を解決するための手段】
【０００５】脇下の縫い線にファスナーを設け、ファスナーを開閉する事で授乳出来る為、衣服を持ち上げず、腹部・腰部を露出しない。【０００６】また前身ごろの内側に目隠し布をつけた事により、ファスナーを開けても胸部が露出せず、授乳時の露出も最小限となる。【０００７】脇下の縫い線に付けられた開閉式の授乳口である為、ファスナーが閉じている時、見た目は普段着と変わりない。
【考案の効果】
【０００８】上述したように本発明の授乳服は、目隠し布により肌を露出せず授乳がスムーズに出来るだけでなく、脇下の縫い線に開閉式の授乳口を付けた事により、ファスナーが閉じている時は見た目が普段着と変わらず、着る場所を選ばない。【０００９】よって衣服の表地が通常の衣服と変わりない為、流行に合わせ自在にアレンジが可能となる。【００１０】更に授乳期終了後も普段着として着用しても違和感がない。
【考案を実施するための最良の形態】
【００１１】以下本発明の実施形態を図１〜図７に基づいて説明する。
【実施例１】
【００１２】実施例１は図１〜図２にて説明する。尚、実施例１はファスナー使用時の説明とするが、スナップを使用しても良い。ファスナーの長さは２１センチ前後が望ましいが、素材や服の形状により変更した方が良い。素材は伸縮性が多少ある物が望ましく、また児の肌が直接触れる服である為、生地は綿、又は柔らかい物が好ましい。また目隠し布は表地と同色、同柄の布を使用した方が授乳時に目立たず良い。【００１３】実施例１の授乳服は図１・２で示すように、前身ごろＡ、後ろ身ごろＢ、目隠し布Ｃで構成されている授乳服である。【００１４】前身ごろＡの内側に胸部中央６で分かれている目隠し布Ｃを設け、衿ぐり１，７、後ろ身ごろＢの脇下縫い線５，９，肩２，８を目隠し布と縫着する。【００１５】それにより、図３・７に示すように授乳時に、脇下縫い線のファスナー４を開けても目隠し布がある為、正面やサイドからも胸部が露出せず、尚且つ図３で示すように目隠し布の胸部中央１０より手繰る事で、授乳時の露出も最小限となる。【００１６】目隠し布の裾はファスナー下部より５センチ以上長めにすると、授乳時に目隠し布を手繰り寄せた際に腹部が露出したり、前身ごろより外側に飛び出さず良い。【００１７】また目隠し布の裾の形状は図４の１１，１２，１３のように直線や曲線等、任意で変更可能である。
【実施例２】
【００１８】概ね実施例１と同様だが図４・７で示すように着丈を長くする事で、授乳中にシンプルなロングドレスの着用も可能となる。
【実施例３】
【００１９】前開きの衣服の場合、図５で示すように目隠し布の中央６ａを前身ごろに縫着し、他は実施例１と同様に縫着する。
【実施例４】
【００２０】概ね実施例１と同様だが、袖のある服の場合、図６に示すように目隠し布の中央６ｂをトップバスト５センチ上位の所まで縫着した方が、袖ぐり３より目隠し布が飛び出さず良い。
【産業上の利用可能性】
【００２１】衣服の表地が通常の衣服と変わりない為、流行に合わせ自在にアレンジが可能となる。【００２２】その結果、授乳期終了後も、普段着として違和感なく着ることが出来る。【００２３】今まで同様の授乳服はなかった為、自宅で育児をしている母親のみならず、働く母乳育児の母親へも需要がある。【００２４】また飛行機や車内など授乳場所がない所でも、他人の視線を気にせず授乳が出来る。
【図面の簡単な説明】
【００２５】
【図１】実施例１の正面図
【図２】目隠し布の形状を表した正面図
【図３】実施例１のファスナーを全開にした状態の正面図
【図４】実施例２の参考図
【図５】実施例３の参考図
【図６】実施例４の参考図
【図７】授乳時の正面図
【符号の説明】
【００２６】１    前身ごろ衿ぐり
２    前身ごろ肩部
３    袖ぐり
４    ファスナー縫着部
５    脇下縫い線部
６    目隠し布中央縫着部
６ａ  目隠し布中央縫着部
６ｂ  目隠し布中央縫着部
７    目隠し布衿ぐり
８    目隠し布肩部袖ぐり
９    目隠し布脇下縫い線
１０  目隠し布中央部
１１  目隠し布下部
１２  目隠し布下部
１３  目隠し布下部
Ａ    前身ごろ
Ｂ    後ろ身ごろ
Ｃ    目隠し布
【図１】
0003119072.tif 000003
【図２】
0003119072.tif 000004
【図３】
0003119072.tif 000005
【図４】
0003119072.tif 000006
【図５】
0003119072.tif 000007
【図６】
0003119072.tif 000008
【図７】
0003119072.tif 000009
(57)【要約】【課題】磁気活水装置を配管に外部から取り付ける際、取り付け器具は配管の大きさがまちまちの為、非常に困難であった。今回どのタイプの配管にも適応して、簡単に取り付けられ、磁気活水装置を保護することが目的である。【解決手段】磁気活水装置（１）を保護する箱（３）の中に入れて固定させ、（３）の箱の（６）の片方の穴に、（２）のベルトを通して（５）の配管に密着させて、（３）の箱（７）のもう片方の穴へ通して、（４）のラチェットに巻きつけて、固定させる。この場合前もって（５）の配管の大きさに対応して（２）のベルトを調節させておく。これにより（１）の磁気活水装置は、（５）の配管に密着固定され、保護され程よく機能を発揮する。【選択図】図１
0003119074.tif 000002
【実用新案登録請求の範囲】
【請求項１】
（イ）磁気活水装置（１）を配管（５）の外部に取り付ける際、全体を覆う箱（３）を（１）の磁気活水装置に被せる。ベルト（２）を（３）の箱の片方の穴（６）から通してひっかけて、配管（５）に沿ってもう片方の穴（７）へ通す。その後（３）の箱に固定されているラチェット（４）に（２）のベルトを巻きつけて締め上げて固定させる。
（ロ）（５）の配管の大きさに合わせて、前もって（２）のベルトを調節しておく。
以上のごとく構成された、磁気活水装置取り付け保護器具。
【考案の詳細な説明】
【技術分野】
【０００１】  この考案は、磁気活水装置の取り付け器具である。
【背景技術】
【０００２】  従来の磁気活水装置の取り付け器具は、取り付けるのに面倒なネジ式、もしくは配管が大きい場合には、単なるテープで巻き着つけるものだけであった。
【考案の開示】
【考案が解決しようとする課題】
【０００３】  この考案は、どの大きさの配管にも対応できるようにして、かつ保護する部分を多く取り、取り付け方法を簡単にして、開発しようとするものである。
【課題を解決するための手段】
【０００４】  いまこれを、図面にて説明すれば、
（イ）磁気活水装置（１）を、箱（３）で覆う。ベルト（２）で（３）の箱の片方の穴（６）から通して配管（５）に密着させて巻き、（３）の箱のもう片方の穴（７）へ通して（３）の箱に固定してあるラチェット（４）にて巻きつけ固定させる。
（ロ）（５）の配管の大きさにより、前もって（２）のベルトの長さを調節して使う。
【考案の効果】
【０００５】  本発明により、どのような配管にも、固定させて、簡単に取り付けられるようになった。
【考案を実施する為の最良の形態】
【０００６】  以下、本案の実施の形態について説明する。
磁気活水装置（１）を覆う箱（３）を設ける。その（３）の箱の中に、（１）の磁気活水装置をいれる。全ての（５）の配管に対応させる為、（２）のベルトを利用して、（３）の箱の（６）の片方の穴から通して（５）の配管に密着させて巻く。（３）の箱の（７）のもう片方の穴へ通して、（３）の箱に固定している（４）のラチェットに巻きつけて、全体を固定させる。
【図面の簡単な説明】
【０００７】
【図１】本考案の斜視図である。
【図２】本考案の部品である。
【図３】本考案の正面図である。
【図４】本考案の使用状態をあらわした図である。
【符号の説明】
【０００８】      １    磁気活水装置
２    ベルト
３    箱
４    ラチェット
５    配管
６    穴
７    穴
【図１】
0003119074.tif 000003
【図２】
0003119074.tif 000004
【図３】
0003119074.tif 000005
【図４】
0003119074.tif 000006
(57)【要約】【課題】  携帯電話機の支払いデータのスキミングを防止できるようにする。【解決手段】  電磁波遮断層１０が備えられ、収納される携帯電話機からの支払いデータのスキミングが防止されるように構成されてなる携帯電話機収納体。【選択図】図２
0003119071.tif 000002
【実用新案登録請求の範囲】
【請求項１】
電磁波遮断層が備えられ、収納される携帯電話機からの支払いデータのスキミングが防止されるように構成されてなる携帯電話機収納体。
【考案の詳細な説明】
【技術分野】
【０００１】  この考案は、携帯電話機収納体に関する。
【背景技術】
【０００２】  最近ではコンビニエンスストアや自動販売機において、現金を使用することなく携帯電話機を用いて物品の購入ができるようになっている。すなわち、コンビニエンスストアや自動販売機側に備えられるリーダー／ライターにより携帯電話機に内蔵される支払いデータを読み取り、また、書き換えることで携帯電話機による自動支払いを可能としているものである。【０００３】  このような携帯電話機使用による支払いシステムにおいては、カードによる支払いシステムと同様にデータのスキミングによる不正行為が発生する問題がある。携帯電話機におけるデータのスキミングは、例えば、混雑する電車内等において、服のポケットやカバンに携帯電話機を入れている場合に行なわれる場合が多い。
【考案の開示】
【考案が解決しようとする課題】
【０００４】  この考案では、携帯電話機の持ち運び時におけるスキミングを防止できるようにすることを目的とする。
【課題を解決するための手段】
【０００５】  この考案では、電磁波遮断層が備えられ、収納される携帯電話機からの支払いデータのスキミングが防止されるように構成されてなる携帯電話機収納体を提供する。【０００６】  上記構成の携帯電話機収納体内に携帯電話機を収納すると、電磁波遮断層が配置されていることで外部と携帯電話機との間で電磁波が遮断されてスキミングが防止される。携帯電話機収納体はバッグ形態、ケース形態等適宜の形態とされてもよく、また磁波遮断層も電磁波を遮断する機能を持てば適宜の形態において設けられればよい。
【考案の効果】
【０００７】  この考案の携帯電話機収納体内に携帯電話機を収納して持ち運ぶことで、携帯電話機における支払いデータのスキミングが容易、かつ、確実に防止できるようになり、安全性が確保される。
【考案を実施するための最良の形態】
【０００８】  図１はこの考案の携帯電話機収納体の第１の実施形態としての携帯電話機用のバッグを示す正面図、図２は断面図である。【０００９】  バッグ１はその全体が２枚重ねの布生地もしくは皮よりなる基材３が巻回配置されるとともに、その両側の開口４位置に弾性体５それぞれが配設固定されることで構成されている。基材３の前側から上方に至る部分は蓋６となって上部に位置する携帯電話機の出し入れ用開口８を覆うようになっている。９は蓋６固定のためのマジックテープ（登録商標）、７は服等への取り付け体である。【００１０】  そして、１０が電磁波遮断層としての金属箔であり、基材３の２枚重ねの間に積層される状態で設けられていて、このバッグ１内に携帯電話機が収納されると、金属箔１０により携帯電話機が囲まれる状態となる。したがって、スキミングの際にはスキミング機器と携帯電話機との間において金属箔１０により電磁波が遮断されるので、これにより読み取りが不可能となってスキミングが防止される。【００１１】  図３はこの考案の携帯電話機収納体の第２の実施形態としての携帯電話機用のケースを示す斜視図、図４は部分断面拡大図である。【００１２】  ケース２０は軟質のプラスチックの成形品よりなるもので、図４に示すようにその成形樹脂２２内に多量の金属粉２４が混入されていて、その金属粉２４の集合体が電磁波遮断層を構成する。この実施形態のものはケース２０を成形することで電磁波遮断層が自動的に形成されるので製造効率に優れる。【００１３】  図５は第２の実施形態の変形例を示し、このものでは成形樹脂２２表面に蒸着により金属膜２６が付設されることで電磁波遮断層が形成されている。この金属膜２６はケース２０の装飾意匠としても兼用できるものである。
【図面の簡単な説明】
【図１】  携帯電話機収納体の第１の実施形態であるバッグの正面図
【図２】  携帯電話機収納体の第１の実施形態であるバッグの断面図
【図３】  携帯電話機収納体の第２の実施形態であるケースの斜視図
【図４】  携帯電話機収納体の第２の実施形態であるケースの部分拡大断面図
【図５】  携帯電話機収納体の第３の実施形態であるケースの変形例の部分拡大断面図
【符号の説明】
１  バッグ（携帯電話機収納体）
１０  金属箔（電磁波遮断層）
【図１】
0003119071.tif 000003
【図２】
0003119071.tif 000004
【図３】
0003119071.tif 000005
【図４】
0003119071.tif 000006
【図５】
0003119071.tif 000007
(57)【要約】【課題】  シュレッダーにおいて、細断屑を屑収容箱にいかに多く収容するかで、シュレッダー装置の小型を可能とすることが出来る。細断屑を圧縮し収容量を増大させる圧縮装置を提供する。【解決手段】  シュレッダー箱体の中段に設置したベースに取り付けた駆動シリンダーに係合するパンタグラフ型細断屑圧縮機構を採用した。パンタグラフ型細断屑圧縮機構は駆動シリンダー軸の上下運動に合わせ、中央部に設けた圧縮バーが上下運動し細断屑を圧縮する。左右に設けた圧縮バーは中央圧縮バーに連動し細断屑を中央に集めるよう円軌道で圧縮する。これにより中央部の細断屑は強く圧縮し、左右は弱くして細断箱から圧縮して袋詰めされた屑袋を取り外しやすくした。【選択図】図１
0003119076.tif 000002
【実用新案登録請求の範囲】
【請求項１】
シュレッダーの箱体の中段に設置したベース板の駆動シリンダーに連動するパンタグラフ型細断屑圧縮機構で、中央部は垂直上下駆動、両側圧縮駆動は円運動し、細断屑を圧縮するシュレッダーの細断屑圧縮装置。
【考案の詳細な説明】
【技術分野】
【０００１】  本考案は、文書処理にかかるシュレッダーの細断屑を圧縮する機構を一体的に組み合わせたシュレッダー装置。
【背景技術】
【０００２】  シュレッダーに細断屑ならし機構、圧縮機構を組み合わせたシュレッダーが提案されている。【０００３】  従来の細断屑圧縮機構は羽を回転させたり、圧縮バーを上下に昇降させる単一運動による細断屑圧縮方式が一般的である。
【考案の開示】
【０００４】  出願番号  特許公開  ２００４−００８９６５
出願番号  特許公開  ２００２−２７３２５２
出願番号  特許公開  ２００１−２９８２３
出願番号  特許公開  ２００１−３００３３９
出願番号  特許公開  ２０００−３０１０１４
出願番号  特許公開  平９−１５５２１６
出願番号  特許公開  平７−１３６５３６
出願番号  特許公開  平６−７９２５０
出願番号  特許公開  平６−１６２０３
出願番号  特許公開  平５−３３７４５３
【考案が解決しようとする課題】
【０００５】  シュレッダーにおいて細断屑を屑収容箱内に圧縮し、収容量を増大させる圧縮装置を提供する。
【課題を解決するための手段】
【０００６】  上記目的を達成するために、シュレッダーの箱体の中段にベースを設置し、駆動シリンダーに連動するパンタグラフ型細断屑圧縮機構を架設採用した。
［選択図１］
【０００７】  また、パンタグラフ型圧縮機構の中央圧縮バーは上下駆動し、細断屑を下に圧縮する。
【０００８】  また、中央圧縮バー、左右に設けられた細断屑圧縮バーは、中央圧縮バーに細断屑が集まるように円運動し細断屑を圧縮する。
【考案の効果】
【０００９】  本考案によれば左右の細断屑を中央に集め圧縮し、更に中央部を垂直に圧縮することが出来た。
【００１０】  また、細断屑の圧縮状態は左右よりも中央がより強く圧縮された。
【００１１】  また、一般的には細断屑箱の内側に細断屑入袋を装着し、細断屑を圧縮収納するので、細断屑箱から細断屑入袋の取り外しが容易になる。
【図面の簡単な説明】
【００１２】
【図１】図１は本考案によるシュレッダー細断屑圧縮の要約図である。１はシュレッダー箱体、２はベース板、３はパンタグラフ型圧縮機構、４は細断屑箱、５は細断屑入袋、６は細断屑、７は圧縮機構駆動シリンダー、８はカッター、９は中央圧縮バー、１０は左右圧縮バーである。イ矢視より細断用紙を入れ、８のカッターで細断する。ロ矢視はカッター（圧縮）の回転方向を示す。６の細断屑は５の細断屑入袋に収容し圧縮するために、２のベース板に組み込まれた３のパンタグラフ型圧縮機構は、７の圧縮機構駆動シリンダーで９の中央圧縮バーを上下運動させる。１０の左右圧縮バーは９の中央圧縮バーとリンク機構で係合し連動し円運動する。この時９の中央圧縮バーはハの位置からニの位置に垂直に移動し、６の細断屑をト矢視方向に圧縮する。また、１０の左右圧縮バーはホの位置からへの位置に円運動し、６の細断屑をチ矢視方向に圧縮する。また、２のベース板中央は大きな開口部があり、８のカッターで細断した６の細断屑が落下するのを妨げることはない。
【図２】図２は本考案による正面図である。１のシュレッダー箱体に各構造体が設置され、６の細断屑が圧縮されている状態を示す。
【図３】図３は本考案によるパンタグラフ構造による細断屑圧縮機構の停止位置状態図を示す。２のベース板に７の圧縮機構駆動シリンダーと３のパンタグラフ型圧縮機構を取り付け、９の中央圧縮バーと１０の左右圧縮バーの停止位置状態を示す。すなわち９の中央圧縮バーと１０の左右圧縮バーが水平一直線に並ぶことで、本考案によるパンタグラフ型細断機構をシュッレダーに設置しても、細断屑入れの容積減少を最少としている。
【図４】図４は本考案によるパンタグラフ型圧縮機構の動作状態図を示す。２のベース板に固定された７の圧縮機構駆動シリンダー、１３の駆動シリンダー軸が伸縮する末端に、Ｂの結合回転支点に９の中央圧縮バー、１２の内リンクバー、１４の結合金具が結合されている。また、２のベース板にＡの結合回転支点に１１の外リンクバーが結合されている。また、１１の外リンクバーと１２の内リンクバーはＣの結合回転支点で結合されている。停止状態ではＡとＢの結合回転支点は図３の如く重なり同一にある。１３の駆動シリンダー軸が伸びるとＡとＢの結合回転支点は図４の位置関係になる。これにより１２の内リンクバーが１１の外リンクバーＣの結合回転支点位置を引き下げることで、９の中央圧縮バーと１０の左右圧縮バーが１３の駆動シリンダー軸のリ矢視方向に合わせ６の細断屑の圧縮を可能とした構造を示す。
【符号の説明】
【００１３】    １      シュレッダー箱体
２      ベース板
３      パンタグラフ型圧縮機構
４      細断屑箱
５      細断屑入袋
６      細断屑
７      圧縮機構駆動シリンダー
８      カッター
９      中央圧縮バー
１０      左右圧縮バー
１１      外リンクバー
１２      内リンクバー
１３      駆動シリンダー軸
１４      駆動シリンダー軸と内リンクバーの結合金具
イ矢視      細断用紙
ロ矢視      カッター（圧縮）回転方向
ハ矢視      中央バー停止位置
ニ矢視      中央バー垂直圧縮位置
ホ矢視      左右圧縮バー停止位置
ヘ矢視      左右圧縮バー円運動圧縮位置
ト矢視      中央細断屑圧縮方向を示す
チ矢視      左右細断屑圧縮方向を示す
リ矢視      駆動シリンダー軸伸縮方向
Ａ      ２のベース板と１１の外リンクバー結合回転支点
Ｂ      １２の内リンクバーと１４の結合金具の結合回転支点
Ｃ      １１の外リンクバーと１２の内リンクバー結合回転支点
【図１】
0003119076.tif 000003
【図２】
0003119076.tif 000004
【図３】
0003119076.tif 000005
【図４】
0003119076.tif 000006
(57)【要約】      （修正有）【課題】一人暮らしの人でも直接肌に付けず、さらにこれらから発生するかゆみやかぶれを解決しようとする肌着を提供する。【解決手段】背中の部分が上方から内側に折たたまれた布で二枚重ねの構造としてあると共に、内側に貼り薬や塗り薬が付けられる取り付け位置の表示がされてあり、肌着が前合わせで固着材を持って閉じられる肌襦袢状に形成したことを特徴とする、貼り薬や塗り薬が付けられる肌着。【選択図】図３
0003119033.tif 000002
【実用新案登録請求の範囲】
【請求項１】
背中の部分が上方から内側に折りたたまれた布で二枚重ねの構造としてあると共に、内側に貼り薬や塗り薬が付けられる取り付け位置の表示がされてあり、肌着が前合わせで固着材をもって閉じられた肌襦袢状に形成してあることを特徴とする、貼り薬や塗り薬が付けられる肌着。
【考案の詳細な説明】
【技術分野】
【０００１】本考案は、肩や背中あるいは腰などの痛みを、抱える人の貼り薬や塗り薬の付けられる肌着に関する。
【背景技術】
【０００２】貼り薬や塗り薬は直接患部にこれらの薬剤が付けられるのが一般的であるが、一人暮らしの方や高齢で手の動きが不自由な人には、なかなか患部にこれらの薬剤を付けることが出来なかった。
【考案の開示】
【考案が解決しようとする課題】
【０００３】以上述べた従来の貼り薬や塗り薬は、直接患部にこれらの薬剤が付けられているが一人暮らしの；方、高齢で手の動きが不自由な人には、なかなか患部にこれらの薬剤を付けることが出来なかった。さらにこれらの薬剤を直接肌に付けるために長時間貼ったままでは、薬が肌に刺激してかぶれやかゆみが起きていた。本考案はこれらの課題を一人暮らしの人でも直接肌に付けず、さらにこれらからが発生するかゆみやかぶれを解決しようとする肌着を提供するものである。
【課題を解決するための手段】
【０００４】背中の部分が上方から内側に折たたまれた布で二枚重ねの構造としてあると共に、内側に貼り薬や塗り薬が付けられる取り付け位置の表示がされてあり、肌着が前合わせで固着材を持って閉じられる肌襦袢状に形成したことを特徴とする、貼り薬や塗り薬が付けられる肌着。
【考案の効果】
【０００５】本考案は、上記構成からなるもので以下に示す効果が期待出来る。
１  本考案は、肩や背中あるいは腰などの痛みやかぶれ、かゆみを抱える一人暮らしの人でも有効に貼り薬や塗り薬が簡単に、しかもかぶれやかゆみ痛みを防ぐことが出来る。
２  背中など手が動きにくいところにも薬剤を付けることが出来る。
３  貼り薬や、塗り薬が直接肌につかないためかぶれやかゆみが守れる。
【考案を実施するための最良の形態】
【０００６】以下本考案の実施の形態を図面を参照して説明する。
図１ないし図４に示すように、背中の部分４は上方から内側に折りたたまれた布５で二枚重ねの構造にしてある。【０００７】ここに示される内側に折りたまれる布とは、ガーゼ地やメッシュ地の布で作られてあり、背中の部分４に縫いつけられる状態で止められている。【０００８】また折たたまれた布５には、患者が抱える病気や患部腰や背中、あるいは肩などに付けられる貼薬や塗り薬の取り付け位置が壷の形をした患部表示部６で示されてある。【０００９】また肌着１には、前側に右合わせ２と左合わせ３とがあってこれらには、男女を問わず右合わせと左合わせで閉じられる固着剤９・１０が付けられている。【００１０】またこの肌着は、前側が右合わせ、左合わせで着用する形をとった肌襦袢状である事が望ましい。【００１１】さらに上記前合わせで閉じる場合固着材をもって、メンファスナー、ボタン、ホックなどを示す。
【図１】
0003119033.tif 000003
【図２】
0003119033.tif 000004
【図３】
0003119033.tif 000005
【図４】
0003119033.tif 000006
【図５】
0003119033.tif 000007
【手続補正書】
【提出日】平成17年11月29日(2005.11.29)
【手続補正１】
【補正対象書類名】明細書
【補正対象項目名】全文
【補正方法】変更
【補正の内容】
【考案の詳細な説明】
【技術分野】
【０００１】本考案は、肩や背中あるいは腰などの痛みを、抱える人の貼り薬や塗り薬の付けられる肌着に関する。
【背景技術】
【０００２】貼り薬や塗り薬は直接患部にこれらの薬剤が付けられるのが一般的であるが、一人暮らしの方や高齢で手の動きが不自申な人には、なかなか患部にこれらの薬剤を付けることが出来なかった。
【考案の開示】
【考案が解決しようとする課題】
【０００３】以上述べた従来の貼り薬や塗り薬は、直接患部にこれらの薬剤が付けられているが一人暮らしの方、高齢で手の動きが不自由な人には、なかなか患部にこれらの薬剤を付けることが出来なかった。さらにこれらの薬剤を直接肌に付けるために長時間貼ったままでは、薬が肌に刺激してかぶれやかゆみが起きていた。本考案はこれらの課題を一人暮らしの人でも直接肌に付けず、さらにこれらが発生するかゆみやかぶれを解決しようとする肌着を提供するものである。
【課題を解決するための手段】
【０００４】背中の部分が上方から内側に折たたまれた布で二枚重ねの構造としてあると共に、内側に貼り薬や塗り薬が付けられる取り付け位置の表示がされてあり、肌着が前合わせで固る肌襦袢状に形成したことを特徴とする、貼り薬や塗り薬が付けられる肌着。
【考案の効果】
【０００５】本考案は、上記構成からなるもので以下に示す効果が期待出来る。
１  本考案は、肩や背中あるいは腰などの痛みやかぶれ、かゆみを抱える一人暮らしの
0003119033.tif 000008
２  背中など手が動きにくいところにも薬剤を付けることが出来る。
３  貼り薬や、塗り薬が直接肌につかないためかぶれやかゆみが守れる。
【考案を実施するための最良の形態】
【０００６】以下本考案の実施の形態を図面を参照して説明する。
図１ないし図４に示すように、背中の部分４は上方から内側に折りたたまれた布５で二枚重ねの構造にしてある。【０００７】ここに示される内側に折りたまれる布とは、ガーゼ地やメッシュ地の布で作られてあり、背中の部分４に縫いつけられる状態で止められている。【０００８】また折たたまれた布５には、患者が抱える病気や患部腰や背中、あるいは肩などに付けられる貼薬や塗り薬の取り付け位置が壷の形をした患部表示部６で示されてある。【０００９】  ・・・・・・
また肌着１には、前側に右合わせ２と左合わせ３とがあってこれらには、男女を問わず右合わせと左合わせで閉じられる固着剤９・１０が付けられている。【００１０】またこの肌着は、前側が右合わせ、左合わせで着用する形をとった肌襦袢状である事が望ましい。【００１１】（図面の簡単な説明の全文を記載します。）
さらに上記前合わせで閉じる場合固着材をもって、メンファスナー、ボタン、ホックなどを示す。
【図面の簡単な説明】
【００１２】
【図１】  １  肌着２  右合わせ３左合わせ４  背中部  ５  折り替し部  ６  患部表示部  ７〜１右袖通し  ７〜２左袖通し  ８  襟部  ９  右固着材  １０  左固着材  以上示す。
【図２】  貼り薬や塗り薬が付けられる肌着。
【符号の説明】
【００１３】    ４  背中部
５  折り替し部
８  襟部
(57)【要約】      （修正有）【課題】内部に物品が封入された中空体において、物品の封入・取出を自由にできるとともに、空気の注入・放出を自由にできる、再利用可能な中空体を提供する。【解決手段】内部に物品を封入する軟質透明素材からなる中空体１であって、中空体壁面に空気注入用の小孔２１を有する空気注入部２と物品を出し入れするための孔３１を有する物品封入部３とを備え、任意に空気の注入・放出ができ、かつ、物品の封入・取出ができるようにしたことを特徴とする中空体として構成してある。【選択図】図１
0003119091.tif 000002
【実用新案登録請求の範囲】
【請求項１】
内部に物品が封入される軟質透明シートからなる中空体であって、中空体壁面に小孔を有する空気注入部と物品を出し入れ可能な大きさの孔を有する物品封入部とを備え、任意に空気の注入・放出ができ、かつ、物品の封入・取出ができるようにしたことを特徴とする物品封入可能な中空体
【請求項２】
前記軟質素材は、軟質透明樹脂シートとした請求項１記載の中空体
【考案の詳細な説明】
【技術分野】
【０００１】
この考案は、使用時に空気を注入して膨らまして中空体を構成し、内部に物品を出し入れすることができる中空体に関するものである。
【背景技術】
【０００２】
近年、宣伝・広告の多様化に伴い、訴求力の強い宣伝・広告用品が求められているところ、軟質素材を用いて構成された中空体の内部に装飾物や宣伝広告のための広告物を封入したＰＯＰディスプレイ等が提案されている。例えば、次の先行技術がある。
【特許文献１】特開２００４−１７５０４６号公報
【０００３】
この特許文献に記載された発明は、回転成形によって成形された塩化ビニール製の中空ボールであって、この中空ボール内部の臍体に柔軟弾性を有する支持体の基部を埋設し、この支持体の先端に封入物である装飾物を固着したものである。
この発明によれば、中空体内部に物品を封入することができるが、封入物と中空体とが一体的に構成されているので、封入物を任意に取り出すことができず、封入物を交換することができない。
また、空気の注入孔が設けられていないので、任意に空気の注入・放出ができず、輸送・保管の際に内部の空気を抜いて小さくすることができないから、輸送・保管にコストがかかる。
【考案の開示】
【考案が解決しようとする課題】
【０００４】
この考案は、内部に物品が封入された中空体において、物品の封入・取出を自由にできるとともに、空気の注入・放出を自由にできる、再利用可能な中空体を得ることを課題とするものである。
【課題を解決するための手段】
【０００５】
この考案は、内部に物品を封入する軟質透明素材からなる中空体であって、中空体壁面に空気注入用の小孔を有する空気注入部と物品を出し入れするための孔を有する物品封入部とを備え、任意に空気の注入・放出ができ、かつ、物品の封入・取出ができるようにしたことを特徴とする中空体として構成してある。
【０００６】
前記空気注入部は、空気注入孔と空気注入孔封止栓とを備え、空気注入孔には逆止弁を組み込むことが好ましい。
【０００７】
前記物品封入部は、物品封入孔と封入孔封止栓とを備えたものとして構成してある。
【０００８】
請求項２の考案は、軟質透明シートとして軟質透明樹脂シートを用いて構成したものである。
【０００９】
この考案において中空体とは、内部に空気を注入して中空体を形成することができるものであれば、球体でも立方体でも円筒形でもよく、その形状は限定されるものではない。
【考案の効果】
【００１０】
この考案によれば、内部に物品が封入される軟質透明シートからなる中空体の壁面に空気注入部と物品封入部とを設けたので、任意に空気の注入・放出ができるとともに、物品の封入・取出ができる。したがって、必要に応じて中空体内部の封入物の交換が自由にできるとともに、運搬・保管時には空気を抜いて小さく畳んでおき、使用時にのみ空気を注入して膨らまして中空体とすることができ、何度でも利用することが可能となる。
【考案を実施するための最良の形態】
【００１１】
図１にこの考案の実施例を示す。
この実施例における中空体１は、６枚の略木の葉状の透明な塩化ビニールシートの端部を熱圧着により貼り合わせて略球体形状の本体２を形成し、頂部にそれぞれ空気注入部２と物品封入部３とを設けて構成してある。
一の頂部に設けられた空気注入部２は、円筒状の空気注入孔２１と空気注入孔２１を塞ぐための空気注入孔封止栓２２とからなり、空気注入孔２１の中空体内面側には逆流防止弁２３が設けてある。空気注入部２の材質は本体と同じく透明の塩化ビニール素材で構成するのが好ましいが、他の素材で構成してもよく、硬質、不透明素材でもよい。
【００１２】
物品封入部３は、空気注入部２と対向する位置に設けてあり、空気注入孔よりも大きな径の円筒状の物品封入孔３１と物品封入孔３１を塞ぐための物品封入孔封止栓４２とで構成されている。物品封入部３の材質は本体と同じく透明の塩化ビニール素材で構成するのが好ましいが、他の軟性素材で構成してもよく、硬質、不透明素材でもよい。
【００１３】
次に、この考案の実施例の使用方法を説明する。
中空体１内部に物品５を封入する場合、まず、空気注入部２の空気注入孔封止栓２２を抜き、口やエアポンプなどを利用して空気注入孔２１から空気を内部に注入する。このとき、空気が抜けないように物品封入部３は閉鎖しておく。空気を注入して中空体１がある程度の大きさになったら空気の注入を一旦停止し、物品封入孔封止栓３２を抜いて物品封入部３を開ける。そして物品封入孔３１から中空体１内に物品４を入れた後、物品封入孔封止栓３２を物品封入孔３１に嵌め込んで物品封入部３を閉鎖する。物品封入部３を閉鎖したら再び空気注入孔２１から空気を注入して所望の中空体を形成した後、空気注入孔封止栓２２を空気注入孔２１に嵌め込んで空気注入部２を閉鎖する。
中空体１内部から物品４を取り出す場合、まず、物品封入孔封止栓３２を抜いて物品封入部３を開け、取り出したい物品４を物品封入孔３１から取り出す。このとき、中空体１内部の空気が漏れて出してしまうが、再び中空体を形成したい場合には物品封入孔封止栓３２を物品封入孔３１に嵌め込んで物品封入部３を閉鎖した後、空気注入孔封止栓２２を開けて空気注入孔２１から空気を注入すればよい。一方、中空体１を畳んで片づけたい場合にはそのまま物品封入孔３１から中空体１内部の空気を外部に放出した後、適当な大きさに折りたためばよい。
【産業上の利用可能性】
【００１４】
この考案は、ＰＯＰなどの店頭ディスプレー、簡易型収納容器などとして利用できるものであり、産業上の利用可能性を有するものである。また、この物品に菓子、その他の商品を封入して販売すれば、購入者は商品を取り出した後、中空体をビーチボールなどとして利用することができる。
【図面の簡単な説明】
【００１５】
【図１】この考案の実施例を示す図
【図２】この考案の実施例において封入物を出し入れする状態を示す図
【符号の説明】
【００１６】
１    中空体
２    空気注入部
２１  空気注入孔
２２  空気注入孔封止栓
２３  逆流防止弁
３    物品封入部
３１  物品封入孔
３２  物品封入孔封止栓
４    物品
【図１】
0003119091.tif 000003
【図２】
0003119091.tif 000004
(57)【要約】      （修正有）【課題】災害緊急時の多くの被災者で込み合う避難所や仮設病院で、スピーディーに折りたたみベットと一体式の小部屋をつくることにより、被災者のストレスの軽減や、プライバシーの確保をおこなうことができるようにする。【解決手段】折りたたみベット一体式簡易ルームは、折りたたみベット３に、ベット取付用フレーム４を接合し、わく組みフレーム５と、幕体部７・８を組み合わせることにより、簡易的な小部屋をスピーディーに設けることができるようにした。【選択図】図１
0003119051.tif 000002
【実用新案登録請求の範囲】
【請求項１】
折りたたみベットに直接接合できる、棒状のフレーム、及び、わく組みフレームとその周囲には部屋状の内部空間をつくるための、幕体を有した構造で形成されていることを特徴とする、折りたたみベット一体式簡易ルーム。
【請求項２】
幕体側面部・幕体天井部・出入口部の何れかには、通気用ネットが設置され、印刷表示も行われていることを特徴とする請求項１に記載の、折りたたみベット一体式簡易ルーム。
【考案の詳細な説明】
【技術分野】
【０００１】本考案は、災害緊急時の避難所、あるいは仮設病院などで用いられている、折りたたみベットに直接接合することにより、簡易的な小部屋をスピーディーに設けることができるようにしたものである。
【背景技術】
【０００２】従来の避難所では、小部屋をつくるための間仕切と、折りたたみベットは別個の物であり、一体で設置できるものは無かった。
【考案の開示】
【考案が解決しようとする課題】
【０００３】災害緊急時に多くの被災者で込み合う避難所では、被災者同士の周囲との気遣いによるストレスが多く、個々のプライバシー確保の面でも難点があった。本考案は、この課題を解消するためになされたものである。
【課題を解決するための手段】
【０００４】前項で説明した課題を解消するために、本考案に係る折りたたみベット一体式簡易ルームは、ベット取付用フレーム４、わく組みフレーム５、幕体部７・８、を有した、折りたたみベット一体式簡易ルーム本体１と、その内部にはゲストスペース９を設けた構造で形成されていること、をそれぞれ特徴とする。
【考案の効果】
【０００５】本考案に係る折りたたみベット一体式簡易ルームは、ベット取付用フレームを用いることで、部材を少なくすることができ、軽量で安定したベットと一体になったプライベートスペースが容易にできあがる利点がある。したがって避難所内での被災者同士のプライバシーが確保され、疲労やストレスの軽減に役立つ利点がある。
【考案の具体的構成】
【０００６】図１には本考案の実施例が示されている。図示の態様は、出入口２を展開した状態を表しており、出入口２は全閉することもできる。
【０００７】図中において、１は本考案に係る折りたたみベット一体式簡易ルーム本体であり、正面部には、出入口２が設けられている。幕体側面部７には、通気用ネット６が設けられており、折りたたみベット３の前方には、ゲストスペース９も有している。
【０００８】本考案において、折りたたみベット一体式簡易ルーム本体１を形成する、ベット取付用フレーム４、わく組みフレーム５、通気用ネット６、幕体側面部７、幕体天井部８、の平面形状は自由であり、その例が図３に示されている。
【０００９】本考案において、出入口２の開閉方法は自由であり、ファスナー、マジックテープ、ホック、などを配置する態様も本考案に含まれる。
【００１０】幕体側面部７、幕体天井部８には、品名、ナンバー、使用方法などが印刷表示１０されている。
【００１１】印刷表示１０は、各部の表面に直接印刷する構成であっても、別に印刷した紙や、シールを貼り付ける構成であってもよい。
【図面の簡単な説明】
【００１２】
【図１】本考案の実施例を示す斜視図
【図２】本考案のフレーム部のみを示す斜視図
【図３】他の実施例を示す斜視図
【符号の説明】
【００１３】  １  折りたたみベット一体式簡易ルーム本体
２  出入口
３  折りたたみベット
４  ベット取付用フレーム
５  わく組みフレーム
６  通気用ネット
７  幕体側面部
８  幕体天井部
９  ゲストスペース
１０  印刷表示
【図１】
0003119051.tif 000003
【図２】
0003119051.tif 000004
【図３】
0003119051.tif 000005
(57)【要約】      （修正有）【課題】従来の着物の腰揚げでお端折りを形成する際に突出する衿付けと衿先を改良し、腰回り寸法の確保と共に簡単に美しく着付けできる着物の提供。【解決手段】衿１の衿先線２と褄下線３との交点４が着物着用時、その着用者のお端折り揚げ９の折り山線６上にくるように衿付けして、あらかじめ前記お端折り揚げを形成した着物。【選択図】図１
0003119060.tif 000002
【実用新案登録請求の範囲】
【請求項１】
衿先線と褄下線との交点が、着物着用時、その着用者のお端折り揚げの折り山線上にくるように衿付けして、あらかじめ前記お端折り揚げを形成した着物。
【考案の詳細な説明】
【技術分野】
【０００１】本考案は簡単に着用できる着物に関するものである。
【背景技術】
【０００２】１人で簡単に着用でき、さらに通常の着付けをした場合と同様の着姿を得るために工夫、提案がなされている。（特許文献１参照）。
【特許文献１】  特開平１１−３５０２１０
【考案が解決しようとする課題】
【０００３】しかし、従来の着物を腰揚げでお端折りを形成すると衿先部が突出して形が見苦しく、また腰回り寸法の確保にも難点があった。
【０００４】本考案は上記の課題を解決するための着物を提供することを目的とする。
【課題を解決するための手段】
【０００５】本考案にかかる着物は衿先線と褄下線との交点が、着物着用時、その着用者のお端折り揚げの折り山線上にくるように衿付けして、あらかじめ前記お端折り揚げを形成したことを特徴とするものである。
【考案の効果】
【０００６】上記考案による衿付けと衿先の改良により、お端折り揚げ形成後の衿先の突出がなくなり、また、衽巾が広いままの位置で揚げがなされるので、腰回り寸法の確保が容易である。
さらに、衿丈と身丈が短めに設定されるので通常の和服裁断よりも少ない用尺で仕立てることができる。
【考案を実施するための最良の形態】
【０００７】以下本考案の実施例を図面によって示し、詳細を説明する。
【実施例】
【０００８】図１は実施例にかかる着物の左半身の正面説明図である。【０００９】同図において着用者の身長に合わせ、着物上部肩線からお端折り揚げ折り山線６を決める。前記お端折り揚げ折り山線６は、着物独特の標準寸法設定から身長による差異が少ない位置である。【００１０】前記お端折り揚げ折り山線６と褄下線３の交点４を衿先として、衿先線２と衿付け止まり５を決める。【００１１】衿付け止まり５は褄下線３より衽内側に、なおかつお端折り揚げの中に納まる位置に設定する。また前記衿付け止まり５が内側にはいる寸法は衽巾の１／３あたりが望ましい。【００１２】前下がり１０が付き、また帯を着用時、前帯巾内に納まる位置にお端折り揚げ縫い線７を決める。【００１３】衽８の巾が広い位置で揚げがなされるので腰回り寸法の確保ができる。【００１４】図２はお端折り揚げ形成後の正面説明図である。【００１５】お端折り揚げ９に必要な長さは通常着付けのお端折りに必要とされる長さよりも短い寸法で足り、１５ｃｍ程度あればよい。【００１６】衿１は広衿、ばち衿、共に仕立て可能であるが、ばち衿の場合は衿先部に裏衿を付けて縫製する。またその場合の前記衿付け止まり５が内側にはいる寸法は衽巾の１／４あたりが望ましい。【００１７】図３は従来の着物にお端折り揚げ形成後の正面説明図である。衿先突出部１１が出来る。
【図面の簡単な説明】
【００１８】
【図１】  実施例の着物の左半身の正面図である。
【図２】  お端折り揚げ形成後の正面図である。
【図３】  従来の着物にお端折り揚げを形成した図である。
【符号の説明】
【００１９】  １    衿
２    衿先線
３    褄下線
４    交点
５    衿付け止まり
６    お端折り揚げ折り山線
７    お端折り揚げ縫い線
８    衽
９    お端折り揚げ
１０  前下がり
１１  衿先突出部
【図１】
0003119060.tif 000003
【図２】
0003119060.tif 000004
【図３】
0003119060.tif 000005